(57)【要約】【課題】使用する光信号の波長の数を少なく抑える。【解決手段】ネットワークシステム１内に複数のサブネットワーク３ａ〜３ｎを設け、マルチバスコントローラ２でサブネットワーク３ａ〜３ｎの夫々に対して別個に波長多重を行う。【選択図】　　　　図１
2004104276.tif 000002
【特許請求の範囲】
【請求項１】
コントローラと、複数のサブネットワークとを有する光ネットワークシステムであって、
各前記サブネットワークは、
前記コントローラに接続された光ファイバと、
前記光ファイバ中を伝送している波長の異なる光信号の中から予め割り当てられた波長の光信号をドロップし、及び／又は、予め割り当てられた波長の光信号をアッドするものであって、互いにドロップ、及び／又は、アッドする光信号の波長が異なる複数の光モジュールと、を備え、
前記コントローラは、
複数の入出力ポートを有し、前記入出力ポートに入力される電気信号を当該電気信号に含まれる宛先アドレスに基づいて当該宛先アドレスに対応する入出力ポートから出力する電気スイッチと、
前記電気スイッチの一部の前記入出力ポートに接続されるとともに一つの前記サブネットワークに接続されており、前記電気スイッチの一部の前記入出力ポートから入力される夫々の電気信号を前記一つの前記サブネットワークの光モジュールに予め割り当てられた夫々の波長の光信号に変換して前記一つの前記サブネットワークへ出力するとともに、前記一つの前記サブネットワークからの光信号の夫々を電気信号に変換して前記電気スイッチの一部の前記入出力ポートの対応する入出力ポートへ出力する複数の変換モジュールと、を備えたことを特徴とする光ネットワークシステム。
【請求項２】
各前記変換モジュールに、同一のものを使用していることを特徴とする請求項１に記載の光ネットワークシステム。
【請求項３】
前記複数の変換モジュールに、変換する光信号の波長の数が異なる複数種類のものを使用していることを特徴とする請求項１に記載の光ネットワークシステム。
【請求項４】
前記コントローラは、前記電気スイッチの一つの前記入出力ポートに接続され、光ネットワークシステム外から入力される光信号を電気信号に変換して前記電気スイッチへ出力するとともに、前記電気スイッチからの電気信号を光信号に変換して光ネットワークシステム外出力する変換器をさらに備えたことを特徴とする請求項１から請求項３のいずれか１項に記載の光ネットワークシステム。
【発明の詳細な説明】
【０００１】
【発明の属する技術分野】
本発明は、波長多重を利用してデータ通信を行う光ネットワークシステムに関する。
【０００２】
【従来の技術】
ローカルエリアネットワーク（Ｌｏｃａｌ　Ａｒｅａ　Ｎｅｔｗｏｒｋ：ＬＡＮ）などにおいて、それらに接続される複数の端末装置間のデータ転送は電気信号を用いた電気通信により行われてきた。ここで、端末装置とは、パーソナルコンピュータや電話機など当該ネットワークを利用して通信を行う端末装置を意味する。ところが、近年の転送すべき情報量の増加に伴って電気通信ではその通信容量の限界に達することも予想され、電気通信より通信容量の大きい光ファイバを用いた光通信によりデータ転送を行うシステムに関する研究開発が活発に行われるようになってきている。その一つに特開平５−１４２８３号公報に開示されたシステムがある。
【０００３】
上記特開平５−１４２８３号公報に開示されたシステムは、リング状の光ファイバと、光ファイバに接続され、アドレスとして互いに異なる波長が割り当てられた４個のノードとを備えており、ノードに接続された端末装置間でデータ転送を行うものである。
【０００４】
ここで、上記公報に開示されたシステムのデータ転送の概略を記す。送信元のノードにおいて、当該ノードに接続された端末装置からの電気信号が送信先のノードに割り当てられた波長の光信号に変換され、変換後の光信号がその波長の存在しないタイムスロット内に挿入されて光ファイバへ出力される。光ファイバへ出力された光信号は送信元のノードと送信先のノードとの間に存在するノードをそのまま通過する。送信先のノードにおいて、ノードに設けられた光波長選択スイッチは光ファイバを伝送中の光信号から自ノードに割り当てられた波長の光信号をノード内に取り込む。
【０００５】
【特許文献１】
特開平５−１４２８３号公報
【０００６】
【発明が解決しようとする課題】
ところが、上述したようなシステムでは、全てのノード毎に異なる波長を割り当てる必要があり、ノードの数が多くなると、これに併せて使用する光信号の波長の数が多くなり、データ転送の制御が難しくなるという問題がある。また、使用できる波長の数には制限があり、一定の数以上に多重して送信できないという基本的な限界を持っている。
【０００７】
そこで、本発明は、使用する光信号の波長の数を少なく抑えることが可能な光ネットワークシステムを提供し、通信対象のノード数を格段に増加させることを目的とする。
【０００８】
【課題を解決するための手段】
請求項１に記載の光ネットワークシステムは、コントローラと、複数のサブネットワークとを有する光ネットワークシステムであって、各前記サブネットワークは、前記コントローラに接続された光ファイバと、前記光ファイバ中を伝送している波長の異なる光信号の中から予め割り当てられた波長の光信号をドロップし、及び／又は、予め割り当てられた波長の光信号をアッドするものであって、互いにドロップ、及び／又は、アッドする光信号の波長が異なる複数の光モジュールと、を備え、前記コントローラは、複数の入出力ポートを有し、前記入出力ポートに入力される電気信号を当該電気信号に含まれる宛先アドレスに基づいて当該宛先アドレスに対応する入出力ポートから出力する電気スイッチと、前記電気スイッチの一部の前記入出力ポートに接続されるとともに一つの前記サブネットワークに接続されており、前記電気スイッチの一部の前記入出力ポートから入力される夫々の電気信号を前記一つの前記サブネットワークの光モジュールに予め割り当てられた夫々の波長の光信号に変換して前記一つの前記サブネットワークへ出力するとともに、前記一つの前記サブネットワークからの光信号の夫々を電気信号に変換して前記電気スイッチの一部の前記入出力ポートの対応する入出力ポートへ出力する複数の変換モジュールと、を備えたことを特徴とする。
【０００９】
請求項１によると、光ネットワークシステム内に複数のサブネットワークを設ける構成にしているため、複数のサブネットワークを設けない光ネットワークシステムに比べ、必要となる光信号の波長の数を少なく抑えることができる。
【００１０】
請求項２に記載の光ネットワークシステムは、請求項１に記載の光ネットワークシステムにおいて、各前記変換モジュールに同一のものを使用したことを特徴とする。請求項２によると、各内部用変換モジュールに同一のものを使用することによって、光通信で使用する光信号の波長の数を少なく抑えつつ光ネットワークシステムの拡張を行うことができる。
【００１１】
請求項３に記載の光ネットワークシステムは、請求項１に記載の光ネットワークシステムにおいて、前記複数の変換モジュールに変換する光信号の波長の数が異なる複数種類のものを使用したことを特徴とする。請求項３によると、規模の異なるサブネットワークを有する光ネットワークシステムを構築することが可能になる。
【００１２】
請求項４に記載の光ネットワークシステムは、請求項１から請求項３のいずれか１項に記載の光ネットワークシステムの前記コントローラに、前記電気スイッチの一つの前記入出力ポートに接続され、光ネットワークシステム外から入力される光信号を電気信号に変換して前記電気スイッチへ出力するとともに、前記電気スイッチからの電気信号を光信号に変換して光ネットワークシステム外出力する変換器をさらに付加したことを特徴とする。請求項４によると、光ネットワークシステム内外での通信が可能になる。
【００１３】
【発明の実施の形態】
以下、本発明の好適な実施の形態について図面を参照しつつ説明する。
【００１４】
まず、本発明の実施の形態における光ネットワークシステムの構成について図１を参照しつつ説明する。図１は、光ネットワークシステムのシステム構成の一例を示す図である。尚、図中の矢印は光信号の伝送方向を示している。
【００１５】
図１に示す光ネットワークシステム１は、公衆回線などのネットワークに接続されたマルチバスコントローラ２と、複数のサブネットワーク３ａ、３ｂ、…、３ｎとを備えている。
【００１６】
マルチバスコントローラ２は、Ｌａｙｅｒ　３　Ｓｗｉｔｃｈ（以下、Ｌ３ＳＷと称す。）２１と、Ｌ３ＳＷ２１のポートＳＰ０に接続された外部用変換器２２と、Ｌ３ＳＷ２１のポートＳＰ１ａ、ＳＰ１ｂ、…、ＳＰ１ｍに接続されたマルチプレックスモジュール（以下、ＭＰＸモジュールと称す。）２３ａと、Ｌ３ＳＷ２１のポートＳＰ２ａ、ＳＰ２ｂ、…、ＳＰ２ｍに接続されたＭＰＸモジュール２３ｂと、Ｌ３ＳＷ２１のポートＳＰｎａ、ＳＰｎｂ、…、ＳＰｎｍに接続されたＭＰＸモジュール２３ｎと、を備えている。Ｌ３ＳＷ２１は、ＬＡＮ（Ｌｏｃａｌ　Ａｒｅａ　Ｎｅｔｗｏｒｋ）などで用いられる公知のスイッチで、ＯＳＩ（Ｏｐｅｎ　Ｓｙｓｔｅｍｓ　Ｉｎｔｅｒｃｏｎｎｅｃｔｉｏｎ）の７層モデルの第３層レベルのスイッチングを行う装置である。このＬ３ＳＷ２１は、Ｌ３ＳＷ２１の各ポートに入力されるデータをそれに含まれる宛先アドレスに基づいてその宛先アドレスに対応するポートからデータを出力する。尚、宛先アドレスとして広く使用されているＩＰアドレスなどが考えられる。また、サブネットワークとは、ＩＰアドレスをマスクにより区分し、ＩＰアドレスの値によるグルーピングを行う公知の概念であってもよいし、或いは、特定のＩＰアドレスの値を指定した、ＩＰアドレス群であっても良い。Ｌ３ＳＷ２１のスイッチ機能とは、このサブネットのＩＰアドレスに対しスイッチングするもので、例えば、Ｖｉｒｔｕａｌ　ＬＡＮを指定し、Ｖｉｒｔｕａｌ　ＬＡＮ間でスイッチングが適用できる。また、Ｌ３ＳＷ２１の代わりに公知のルータによりサブネット間をルーティングする手法もとることができる。外部用変換器２２は、光ネットワークシステム１の外部から入力される例えば波長１．３（μｍ）の光信号を電気信号に変換して電気信号をＬ３ＳＷ２１のポートＳＰ０へ出力し、また、Ｌ３ＳＷ２１のポートＳＰ０からの電気信号を例えば波長１．３（μｍ）の光信号に変換して光信号を外部へ出力する。
【００１７】
ＭＰＸモジュール２３ａは、Ｌ３ＳＷ２１のポートＳＰ１ａ、ＳＰ１ｂ、…、ＳＰ１ｍの夫々に接続された変換器３１ａ、３１ｂ、…、３１ｍと、合波器３２と、分波器３３とを、備えている。
【００１８】
変換器３１ａは、Ｌ３ＳＷ２１のポートＳＰ１ａから入力される電気信号を波長λａの光信号に変換して光信号を合波器３２へ出力し、また、分波器３３からの波長λａの光信号を電気信号に変換して電気信号をＬ３ＳＷ２１のポートＳＰ１ａへ出力する。変換器３１ｂは、Ｌ３ＳＷ２１のポートＳＰ１ｂから入力される電気信号を波長λｂの光信号に変換して光信号を合波器３２へ出力し、また、分波器３３からの波長λｂの光信号を電気信号に変換して電気信号をＬ３ＳＷ２１のポートＳＰ１ｂへ出力する。変換器３１ｍは、Ｌ３ＳＷ２１のポートＳＰ１ｍから入力される電気信号を波長λｍの光信号に変換して光信号を合波器３２へ出力し、また、分波器３３からの波長λｍの光信号を電気信号に変換して電気信号をＬ３ＳＷ２１のポートＳＰ１ｍへ出力する。ここで、波長λａ、λｂ、…、λｍは、互いに異なっており、例えば、１．５（μｍ）帯の波長である。
【００１９】
合波器３２は、変換器３１ａ、３１ｂ、…、３１ｍからの波長λａ、λｂ、…、λｍの光信号を合波してサブネットワーク３ａへ出力する。分波器３３は、サブネットワーク３ａからの光信号を波長λａ、λｂ、…、λｍの光信号に分波して、波長λａ、λｂ、…、λｍの光信号を、夫々、変換器３１ａ、３１ｂ、…、３１ｍへ出力する。
【００２０】
ＭＰＸモジュール２３ｂは、Ｌ３ＳＷ２１のポートＳＰ２ａ、ＳＰ２ｂ、…、ＳＰ２ｍの夫々に接続された変換器４１ａ、４１ｂ、…、４１ｍと、合波器４２と、分波器４３とを、備えている。
【００２１】
変換器４１ａは、Ｌ３ＳＷ２１のポートＳＰ２ａから入力される電気信号を波長λａの光信号に変換して光信号を合波器４２へ出力し、また、分波器４３からの波長λａの光信号を電気信号に変換して電気信号をＬ３ＳＷ２１のポートＳＰ２ａへ出力する。変換器４１ｂは、Ｌ３ＳＷ２１のポートＳＰ２ｂから入力される電気信号を波長λｂの光信号に変換して光信号を合波器４２へ出力し、また、分波器４３からの波長λｂの光信号を電気信号に変換して電気信号をＬ３ＳＷ２１のポートＳＰ２ｂへ出力する。変換器４１ｍは、Ｌ３ＳＷ２１のポートＳＰ２ｍから入力される電気信号を波長λｍの光信号に変換して光信号を合波器４２へ出力し、また、分波器４３からの波長λｍの光信号を電気信号に変換して電気信号をＬ３ＳＷ２１のポートＳＰ２ｍへ出力する。
【００２２】
合波器４２は、変換器４１ａ、４１ｂ、…、４１ｍからの波長λａ、λｂ、…、λｍの光信号を合波してサブネットワーク３ｂへ出力する。分波器４３は、サブネットワーク３ｂからの光信号を波長λａ、λｂ、…、λｍに分波して、波長λａ、λｂ、…、λｍの光信号を、夫々、変換器４１ａ、４１ｂ、…、４１ｍへ出力する。
【００２３】
ＭＰＸモジュール２３ｎは、Ｌ３ＳＷ２１のポートＳＰｎａ、ＳＰｎｂ、…、ＳＰｎｍの夫々に接続された変換器５１ａ、５１ｂ、…、５１ｍと、合波器５２と、分波器５３とを、備えている。
【００２４】
変換器５１ａは、Ｌ３ＳＷ２１のポートＳＰｎａから入力される電気信号を波長λａの光信号に変換して光信号を合波器５２へ出力し、また、分波器５３からの波長λａの光信号を電気信号に変換して電気信号をＬ３ＳＷ２１のポートＳＰｎａへ出力する。変換器５１ｂは、Ｌ３ＳＷ２１のポートＳＰｎｂから入力される電気信号を波長λｂの光信号に変換して光信号を合波器５２へ出力し、また、分波器５３からの波長λｂの光信号を電気信号に変換して電気信号をＬ３ＳＷ２１のポートＳＰｎｂへ出力する。変換器５１ｍは、Ｌ３ＳＷ２１のポートＳＰｎｍから入力される電気信号を波長λｍの光信号に変換して光信号を合波器５２へ出力し、また、分波器５３からの波長λｍの光信号を電気信号に変換して電気信号をＬ３ＳＷ２１のポートＳＰｎｍへ出力する。
【００２５】
合波器５２は、変換器５１ａ、５１ｂ、…、５１ｍからの波長λａ、λｂ、…、λｍの光信号を合波してサブネットワーク３ｎへ出力する。分波器５３は、サブネットワーク３ｎからの光信号を波長λａ、λｂ、…、λｍに分波して、波長λａ、λｂ、…、λｍの光信号を、夫々、変換器５１ａ、５１ｂ、…、５１ｍへ出力する。
【００２６】
サブネットワーク３ａは、マルチバスコントローラ２のＭＰＸモジュール２３ａの合波器３２と分波器３３とに接続された光ファイバ６１と、光ファイバ６１の途中に挿入された光アッドドロップ多重（Ｏｐｔｉｃａｌ　Ａｄｄ　Ｄｒｏｐ　Ｍｕｌｔｉｐｌｅｘ：ＯＡＤＭ）モジュール６２ａ、６２ｂ、…、６２ｍとを、有している。尚、ＯＡＤＭモジュール６２ａ、６２ｂ、…、６２ｍには、例えば、光／電気変換器や電気／光変換器などが接続され、後述するアッド或いはドロップした光信号とコンピュータなどの端末装置の電気信号とが相互変換されることで接続される。ＯＡＤＭ６２ａは、図２（ａ）に示すように、光ファイバ６１中を伝送している波長λａ、λｂ、…、λｍの光信号の中から波長λａの光信号をドロップするとともに、波長λａ以外の波長の光信号をそのままスルーする。また、ＯＡＤＭモジュール６２ａは、図２（ｂ）に示すように、波長λａの光信号を光ファイバ６１にアッドする。ＯＡＤＭ６２ｂは、光ファイバ６１中を伝送している波長λａ、λｂ、…、λｍの光信号の中から波長λｂの光信号をドロップするとともに、波長λｂ以外の波長の光信号をそのままスルーする。また、ＯＡＤＭモジュール６２ｂは、波長λｂの光信号を光ファイバ６１にアッドする。ＯＡＤＭ６２ｍは、光ファイバ６１中を伝送している波長λａ、λｂ、…、λｍの光信号の中から波長λｍの光信号をドロップするとともに、波長λｍ以外の波長の光信号をそのままスルーする。また、ＯＡＤＭモジュール６２ｍは、波長λｍの光信号を光ファイバ６１にアッドする。
【００２７】
サブネットワーク３ｂは、マルチバスコントローラ２のＭＰＸモジュール２３ｂの合波器４２と分波器４３とに接続された光ファイバ７１と、光ファイバ７１の途中に挿入されたＯＡＤＭモジュール７２ａ、７２ｂ、…、７２ｍとを、有している。尚、ＯＡＤＭモジュール７２ａ、７２ｂ、…、７２ｍには、例えば、光／電気変換器や電気／光変換器などが接続され、後述するアッド或いはドロップした光信号とコンピュータなどの端末装置の電気信号とが相互変換されることで接続される。ＯＡＤＭ７２ａは、光ファイバ７１中を伝送している波長λａ、λｂ、…、λｍの光信号の中から波長λａの光信号をドロップするとともに、波長λａ以外の波長の光信号をそのままスルーする。また、ＯＡＤＭモジュール７２ａは、波長λａの光信号を光ファイバ７１にアッドする。ＯＡＤＭ７２ｂは、光ファイバ７１中を伝送している波長λａ、λｂ、…、λｍの光信号の中から波長λｂの光信号をドロップするとともに、波長λｂ以外の波長の光信号をそのままスルーする。また、ＯＡＤＭモジュール７２ｂは、波長λｂの光信号を光ファイバ７１にアッドする。ＯＡＤＭ７２ｍは、光ファイバ７１中を伝送している波長λａ、λｂ、…、λｍの光信号の中から波長λｍの光信号をドロップするとともに、波長λｍ以外の波長の光信号をそのままスルーする。また、ＯＡＤＭモジュール７２ｍは、波長λｍの光信号を光ファイバ７１にアッドする。
【００２８】
サブネットワーク３ｎは、マルチバスコントローラ２のＭＰＸモジュール２３ｎの合波器５２と分波器５３とに接続された光ファイバ８１と、光ファイバ８１の途中に挿入されたＯＡＤＭモジュール８２ａ、８２ｂ、…、８２ｍとを、有している。尚、ＯＡＤＭモジュール８２ａ、８２ｂ、…、８２ｍには、例えば、光／電気変換器や電気／光変換器などが接続され、後述するアッド或いはドロップした光信号とコンピュータなどの端末装置の電気信号とが相互変換されることで接続される。ＯＡＤＭ８２ａは、光ファイバ８１中を伝送している波長λａ、λｂ、…、λｍの光信号の中から波長λａの光信号をドロップするとともに、波長λａ以外の波長の光信号をそのままスルーする。また、ＯＡＤＭモジュール８２ａは、波長λａの光信号を光ファイバ８１にアッドする。ＯＡＤＭ８２ｂは、光ファイバ８１中を伝送している波長λａ、λｂ、…、λｍの光信号の中から波長λｂの光信号をドロップするとともに、波長λｂ以外の波長の光信号をそのままスルーする。また、ＯＡＤＭモジュール８２ｂは、波長λｂの光信号を光ファイバ８１にアッドする。ＯＡＤＭ８２ｍは、光ファイバ８１中を伝送している波長λａ、λｂ、…、λｍの光信号の中から波長λｍの光信号をドロップするとともに、波長λｍ以外の波長の光信号をそのままスルーする。また、ＯＡＤＭモジュール８２ｍは、波長λｍの光信号を光ファイバ８１にアッドする。
【００２９】
上述した構成の光ネットワークシステム１のサブネットワーク３ａ、３ｂ、…、３ｎの夫々を、例えば建物のフロア毎に配設するようにしても良いし、建物ごとに配設するようにしても良い。
【００３０】
尚、上述した構成の光ネットワークシステム１のサブネットワーム３ａ、３ｂ、…、３ｎの夫々で使用する光信号の波長が全て波長λａ、λｂ、…、λｍで同じ場合であるが、サブネットワーク３ａ、３ｂ、…、３ｎで異なるようにしても良い。また、サブネットワーク３ａ、３ｂ、…、３ｎの夫々が有するＯＡＤＭモジュールの数を異なるように、言い換えると、ＭＰＸモジュール２３ａ、２３ｂ、…、２３ｎが変換することが可能な光信号の波長の数を異なるようにしても良く、この場合には、サブネットワーク３ａ、３ｂ、…、３ｎが配設される建物のフロアや建物の規模（設置される端末装置の数）に対応したサブネットワークにすることができる。
【００３１】
光ネットワークシステム１で使用する波長の値については、ＣＷＤＭ（ＣｏａｒｓｅＷａｖｅｌｅｎｇｔｈ−Ｄｉｖｉｓｉｏｎ　Ｍｕｌｔｉｐｌｅｘｉｎｇ）として研究されている波長を選択するのが好適である。例えば、１．４７（μｍ）、１．４９（μｍ）、１．５１（μｍ）、１．５３（μｍ）、１．５５（μｍ）、１．５７（μｍ）、１．５９（μｍ）、１．６１（μｍ）の８波長を使用できる。Ｌ３ＳＷ２１でサブネットワークを１２指定すれば、合計９６のＯＡＤＭモジュールに対して、夫々独立した帯域の相互通信を行うことができる。このように少数の波長で通信ノード数を格段に増加させることができる。
【００３２】
以下、上述した光ネットワークシステムの動作について図面を参照しつつ説明する。
【００３３】
まず、本光ネットワークシステム１の外部から本システム１のサブネットワークのＯＡＤＭモジュールに接続された端末装置へデータが転送される場合について図３を参照しつつ説明する。図３は、光ネットワークシステム１の動作フローを示すフローチャートである。但し、図３は、外部からサブネットワーク３ａのＯＡＤＭモジュール６２ｂに接続された端末装置へデータが転送される場合である。尚、外部からＯＡＤＭモジュール６２ｂ以外のＯＡＤＭモジュールに接続された端末装置へのデータ転送も実質的に同様である。
【００３４】
外部からの例えば波長１．３（μｍ）の光信号がマルチバスコントローラ２に到達する（ステップＳ１０１）。そして、マルチバスコントローラ２の外部用変換器２２で波長１．３（μｍ）の光信号から電気信号に変換され、Ｌ３ＳＷ２１のポートＳＰ０へ出力される（ステップＳ１０２）。Ｌ３ＳＷ２１に入力された電気信号は、Ｌ３ＳＷ２１のスイッチング機能により、それに含まれる宛先アドレスに基づいて、その宛先アドレスに対応するポート、ここでは、ポートＳＰ１ｂから出力されて、ＭＰＸモジュール２３ａに入力される（ステップＳ１０３）。Ｌ３ＳＷ２１からＭＰＸモジュール２３ａに入力された電気信号は、変換器３１ｂで波長λｂの光信号に変換される（ステップＳ１０４）。変換器３１ｂで変換された波長λｂの光信号は、合波器３２へ出力され、合波器３２で他の波長の光信号と合波され、光ファイバ６１へ、つまり、サブネットワーク３ａへ出力される（ステップＳ１０５）。光ファイバ６１に入力された波長λｂの光信号は、光ファイバ６１中を伝送し、ＯＡＤＭモジュール６２ａをスルーし（ステップＳ１０６）、さらに光ファイバ６１中を伝送し、ＯＡＤＭモジュール６２ｂでドロップされ、ＯＡＤＭ６２ｂに接続された端末装置へ出力される（ステップＳ１０７）。
【００３５】
次に、光ネットワークシステム１のサブネットワークのＯＡＤＭモジュールに接続された端末装置から光ネットワークシステム１外へデータが転送される場合について図４を参照しつつ説明する。図４は、光ネットワークシステム１の動作フローを示すフローチャートである。但し、図４は、サブネットワーク３ａのＯＡＤＭモジュール６２ａに接続された端末装置から光ネットワークシステム１外へデータが転送される場合である。尚、サブネットワーク３ａのＯＡＤＭモジュール６２ａ以外のＯＡＤＭモジュールに接続された端末装置から光ネットワークシステム１外へのデータ転送も実質的に同様である。
【００３６】
光ネットワークシステム１のサブネットワーク３ａのＯＡＤＭモジュール６２ａに接続された端末装置からの波長λａの光信号が、ＯＡＤＭモジュール６２ａに到達し（ステップＳ２０１）、ＯＡＤＭモジュール６２ａに到達した波長λａの光信号は、ＯＡＤＭモジュール６２ａによって、光ファイバ６１にアッドされる（ステップＳ２０２）。光ファイバ６２ａにアッドされた波長λａの光信号は、光ファイバ６１中を伝送し、ＯＡＤＭモジュール６２ｂ、…、６２ｍをスルーし（ステップＳ２０３）、マルチバスコントローラ２のＭＰＸモジュール２３ａへ到達する（ステップＳ２０４）。ＭＰＸモジュール２３ａに到達した波長λａの光信号は分波器３３で分波されて変換器３１ａへ出力され、波長λａの光信号は、変換器３１ａで電気信号に変換され、Ｌ３ＳＷ２１のポートＳＰ１ａへ出力される（ステップＳ２０５）。Ｌ３ＳＷ２１に入力された電気信号は、Ｌ３ＳＷ２１のスイッチング機能により、それに含まれる宛先アドレスに基づいて、その宛先アドレスに対応するポート、ここでは、ポートＳＰ０から出力されて、外部用変換器２２へ出力される（ステップＳ２０６）。Ｌ３ＳＷ２１から外部用変換器２２に入力された電気信号は、外部用変換器２２で例えば波長１．３（μｍ）の光信号に変換されて（ステップＳ２０７）、変換された例えば波長１．３（μｍ）の光信号は、光ネットワークシステム１外へ出力される。
【００３７】
次に、光ネットワークシステム１のサブネットワークのＯＡＤＭモジュールに接続された端末装置から他のサブネットワークのＯＡＤＭモジュールに接続された端末装置又は同じサブネットワークの他のＯＡＤＭモジュールに接続された端末装置へデータが転送される場合について図５を参照しつつ説明する。図５は、光ネットワークシステム１の動作フローを示すフローチャートである。但し、図５は、サブネットワーク３ａのＯＡＤＭモジュール６２ａに接続された端末装置からサブネットワーク３ｎのＯＡＤＭモジュール８２ｍに接続された端末装置へデータが転送される場合である。尚、これ以外のＯＡＤＭモジュールに接続された端末装置間のデータ転送も十つ的に同様である。
【００３８】
光ネットワークシステム１のサブネットワーク３ａのＯＡＤＭモジュール６２ａに接続された端末装置からの波長λａの光信号が、ＯＡＤＭモジュール６２ａに到達し（ステップＳ３０１）、ＯＡＤＭモジュール６２ａに到達した波長λａの光信号は、ＯＡＤＭモジュール６２ａによって、光ファイバ６１にアッドされる（ステップＳ３０２）。光ファイバ６２ａにアッドされた波長λａの光信号は、光ファイバ６１中を伝送し、ＯＡＤＭモジュール６２ｂ、…、６２ｍをスルーし（ステップＳ３０３）、マルチバスコントローラ２のＭＰＸモジュール２３ａへ到達する（ステップＳ３０４）。ＭＰＸモジュール２３ａに到達した波長λａの光信号は分波器３３で分波されて変換器３１ａへ出力され、波長λａの光信号は、変換器３１ａで電気信号に変換され、Ｌ３ＳＷ２１のポートＳＰ１ａへ出力される（ステップＳ３０５）。Ｌ３ＳＷ２１に入力された電気信号は、Ｌ３ＳＷ２１のスイッチング機能により、それに含まれる宛先アドレスに基づいて、その宛先アドレスに対応するポート、ここでは、ポートＳＰｎｍから出力されて、ＭＰＸモジュール２３ｎへ出力される（ステップＳ３０６）。Ｌ３ＳＷ２１からＭＰＸモジュール２３ｎに入力された電気信号は、変換器５１ｍで波長λｍの光信号に変換される（ステップＳ３０７）。変換器５１ｍで変換された波長λｍの光信号は、合波器５２へ出力され、合波器５２で他の波長の光信号と合波され、光ファイバ８１へ、つまり、サブネットワーク３ｎへ出力される（ステップＳ３０８）。光ファイバ８１に入力された波長λｍの光信号は、光ファイバ８１中を伝送し、ＯＡＤＭモジュール８２ａ、８２ｂ、…をスルーし（ステップＳ３０９）、ＯＡＤＭモジュール８２ｍでドロップされ、ＯＡＤＭ８２ｍに接続された端末装置へ出力される（ステップＳ３１０）。
【００３９】
以上説明したように本実施の形態においては、ＭＰＸモジュール２３ａ、２３ｂ、…、２３ｎを同一モジュールとし、そのＭＰＸモジュール２３ａ、２３ｂ、…、２３ｎで使用する波長に対応するよう、ネットワークシステム１を構成するサブネットワーク３ａ、３ｂ、…、３ｎを同一ネットワークとすることにより、光通信で使用する光信号の波長の数を少なく抑えつつ光ネットワークシステム１の拡張を行うことができるとともに、光通信の制御が容易になる。また、光ネットワークシステム１は、光ネットワークシステム１の異なるＯＡＤＭモジュールに接続された端末装置間の通信が可能であるとともに、光ネットワークシステム１外と光ネットワークシステム１のＯＡＤＭモジュールに接続された端末装置との間の通信が可能になる。さらに、端末装置を増加する場合には、サブネットワーク内のＯＡＤＭモジュールを増設し、それに併せてマルチバスコントローラ２を変更すれば足りるので、端末装置を容易に増加させることが可能になる。
【００４０】
以上、本発明の好適な実施の形態について説明したが、本発明は、前記実施の形態に限定されるものではなく、特許請求の範囲に記載した限りにおいて様々な設計変更が可能なものである。例えば、本実施の形態では、光モジュールとしてＯＡＤＭモジュールを使用している場合であるが、これに限らず、光モジュールの全て、或いは、一部に、光ファイバから光信号をドロップする光ドロップモジュールを使用するように構成しても良い。また、光モジュールの全て、或いは、一部に、光ファイバに光信号をアッドする光アッドモジュールを使用するように構成しても良い。さらに、ＯＡＤＭモジュール、光ドロップモジュール、及び光アッドモジュールの全てが含まれるように構成しても良い。
【００４１】
【発明の効果】
請求項１によると、光ネットワークシステムを複数のサブネットワークに分けているため、複数のサブネットワークに分けない光ネットワークシステムに比べ、必要となる光信号の波長の数を少なく抑えることができる。このため、多重を利用して相互通信が可能なノードの数を少ない波長の数で格段に増加させる大きな効果がある。
【００４２】
請求項２によると、各内部用変換モジュールに同一のものを使用することによって、光通信で使用する光信号の波長の数を少なく抑えつつ光ネットワークシステムの拡張を行うことができる。
【００４３】
請求項３によると、規模の異なるサブネットワークを有する光ネットワークシステムを構築することが可能になる。
【００４４】
請求項４によると、光ネットワークシステム内外での通信が可能になる。
【図面の簡単な説明】
【図１】本発明の実施の形態における光ネットワークシステムのシステム構成の一例を示す図である。
【図２】光信号をアッド／ドロップする説明図である。
【図３】本発明の実施の形態における光ネットワークシステムの動作フローを示すフローチャートである。
【図４】本発明の実施の形態における光ネットワークシステムの動作フローを示すフローチャートである。
【図５】本発明の実施の形態における光ネットワークシステムの動作を示すフローチャートである。
【符号の説明】
１　光ネットワークシステム
２　マルチバスコントローラ
３ａ〜３ｎ　サブネットワーク
２１　Ｌａｙｅｒ　３　Ｓｗｉｔｃｈ（Ｌ３ＳＷ）
２２　外部用変換器
２３ａ〜２３ｎ　ＭＰＸモジュール
【図１】
2004104276.tif 000003
【図２】
2004104276.tif 000004
【図３】
2004104276.tif 000005
【図４】
2004104276.tif 000006
【図５】
2004104276.tif 000007